(57)【要約】【課題】  ユニットの取付作業や取り外し作業の作業工程を低減する。【解決手段】  ラック本体の前面から電子回路ユニット６を挿入した後に、取付ネジ１１ａ，１１ｂを右方向にスライドさせることにより、スライド固定金具１０がＬ字状溝１０ａ，１０ｂ内に係合している本体ガイドピン１４ａ，１４ｂで案内されながら取付ネジ１１ａ，１１ｂと共にスライドする。そして、ガイドピンが電子回路ユニット６の上面に設けられている横方向の係合溝内に進入するようになり、この状態において取付ネジ１１ａ，１１ｂを回転させて締着ナットにそれぞれ螺着する。これにより、スライド固定金具１０がＬ字状溝１０ａ，１０ｂ内に係合している本体ガイドピン１４ａ，１４ｂで案内されながら後面側へスライドすることにより、スライド固定金具１０が固着されて電子回路ユニット６がラック本体に固着される。【選択図】  図２
2006186256.tif 000002
【特許請求の範囲】
【請求項１】
少なくとも上板、底板と両側に側板を備え、開放された前面から複数のユニットを挿入して固着することのできるラック本体と、
前記上板の上側に横方向に固定されている本体固定金具と、
前記上板の前縁から起立している折曲部の横方向に延伸するよう形成されているスライド孔に挿通されていると共に、ネジが形成されていない小径とされた先端部を有する複数の取付ネジと、
前記各ユニットに対応する複数のガイドピンが突出して形成されている下面と、複数の該取付ネジが回転可能であるが一体に移動するよう取り付けられている側面とを少なくとも有し、前記本体固定金具と前記折曲部との間で横方向および前後にスライド可能に配置されているスライド固定金具と、
前記上板の上側から突出するよう形成されて、前記スライド固定金具の下面に形成されているＬ字状溝に係合している複数の本体ガイドピンと、
前記複数の取付ネジの先端部がそれぞれ挿入状態とされて螺着可能とされていると共に、前記本体固定金具に形成されている摺動溝内に摺動可能に収納されているナット部とを備え、
前記ラック本体の前面から前記ユニットを挿入した後に、前記複数の取付ネジを前記スライド孔に沿って横方向にスライドさせることにより、前記スライド固定金具が前記Ｌ字状溝内に係合している前記本体ガイドピンで案内されながら前記複数の取付ネジと共に横方向にスライドして、前記複数のガイドピンのそれぞれが前記各ユニットの上面に設けられている横方向の係合溝内に進入するようになり、この状態において前記複数の取付ネジを回転させて前記ナット部にそれぞれ螺着すると、前記スライド固定金具が前記Ｌ字状溝における前後方向の溝内に係合している前記本体ガイドピンで案内されながら後面側へスライドすることにより、前記スライド固定金具の横方向への移動が禁止されると共に、前記係合溝内に前記ガイドピンが進入したことにより前記各ユニットが前記ラック本体に固着されるようにしたことを特徴とする収納ラック。
【請求項２】
収納ラックが、
少なくとも上板、底板と両側に側板を備え、前面が開放されているラック本体と、
前記上板の上側に横方向に固定されている本体固定金具と、
前記上板の前縁から起立している折曲部に横方向に形成されているスライド孔に挿通されていると共にネジが形成されていない小径とされた先端部を有する複数の取付ネジと、
各ユニットの装着位置に対応する複数のガイドピンが突出して形成されている下面と、複数の該取付ネジが回転可能であるが一体に移動するよう取り付けられている側面とを少なくとも有し、前記本体固定金具と前記折曲部との間で横方向および前後にスライド可能に配置されているスライド固定金具と、
前記上板の上側から突出するよう形成されて、前記スライド固定金具の下面に形成されているＬ字状溝に係合している複数の本体ガイドピンと、
前記複数の取付ネジの先端部がそれぞれ挿入状態とされて螺着可能とされていると共に、前記本体固定金具に形成されている摺動溝内に摺動可能に収納されているナット部とからなり、
前記収納ラックの前面から前記ラック本体内に挿入されて固着可能とされていると共に、横方向の係合溝が上面に設けられている複数のユニットと、前記収納ラックとを備え、
前記収納ラックの前面から前記ユニットを挿入した後に、前記複数の取付ネジを前記スライド孔に沿って横方向にスライドさせることにより、前記スライド固定金具が前記Ｌ字状溝内に係合している前記本体ガイドピンで案内されながら前記複数の取付ネジと共にスライドして、前記複数のガイドピンのそれぞれが前記各ユニットの上面に設けられている前記係合溝内に進入するようになり、この状態において前記複数の取付ネジを回転させて前記ナット部にそれぞれ螺着すると、前記スライド固定金具が前記Ｌ字状溝における前後方向の溝内に係合している前記本体ガイドピンで案内されながら後面側へスライドすることにより、前記スライド固定金具の横方向への移動が禁止されると共に、前記係合溝内に前記ガイドピンが進入したことにより前記各ユニットが前記ラック本体に固着されるようにしたことを特徴とするラック型電子機器。
【請求項３】
前記ユニットには、横方向の係合溝が形成されていると共に先端部に斜面が形成された固定板が上面に設けられており、前記ユニットを前記収納ラックの前面から挿入していく際に、前記斜面に前記ガイドピンが当接することにより、挿入に伴って前記スライド固定金具が横方向に移動していくようになり、事前に前記複数の取付ネジを横方向にスライドさせることなく前記ユニットを前記収納ラックに挿入できるようにしたことを特徴とする請求項２記載のラック型電子機器。
【請求項４】
前記固定板の先端部に形成された斜面に続いて、逆傾斜の第２の斜面が前記横方向の係合溝に到達するよう前記固定板に形成されており、前記ユニットを前記収納ラックから引き出す際に、前記第２の斜面に前記ガイドピンが当接して引き出しに伴って前記スライド固定金具が横方向に移動していくことにより、事前に前記複数の取付ネジを横方向にスライドさせることなく前記ユニットを前記収納ラックから引き出すことができるようにしたことを特徴とする請求項３記載のラック型電子機器。
【請求項５】
前記スライド固定金具の下面に形成されている前記Ｌ字状溝は、横方向に延伸する第１の溝と、該第１の溝に連通して前方向に延伸する第２の溝からなり、前記本体ガイドピンが前記第２の溝位置にある場合にのみ、前記複数の取付ネジを回転させた際に前記ナット部にそれぞれ螺着できるようにしたことを特徴とする請求項２記載のラック型電子機器。
【発明の詳細な説明】
【技術分野】
【０００１】
本発明は、ＣＡＴＶ局や共同受信装置用に使用される収納ラックおよびラック型電子機器に関するものである。
【背景技術】
【０００２】
ＣＡＴＶ局や共同受信装置用に使用されるラック型電子機器には、１つの筐体の中に複数台の縦型の電子機器ユニットを収納する収納ラックを用いたタイプがある。このような従来の収納ラックに電子機器ユニットを取り付ける場合は、電子機器ユニットを１台ごと収納ラックの前面から収納ラック内に挿入し、ついで、電子機器ユニットの上下に設けられた上下２本の取付ネジを収納ラックに螺着することにより、電子機器ユニットごとに取り付けるようにしている。例えば１０台の電子機器ユニットを取り付ける場合は、２０本の取付ネジを収納ラックに締着する必要がある。
【発明の開示】
【発明が解決しようとする課題】
【０００３】
従来のラック型電子機器においては、上記したように電子機器ユニットに対し２本の取付ネジを用いて収納ラックに取り付けていることから、取付作業や取り外し作業の作業工程が多くなっており、取付作業や取り外し作業を伴う電子機器ユニットの点検や交換する際の取り外し作業や取付作業が煩雑になるという問題点があった。
【０００４】
そこで、本発明は、電子回路ユニット等のユニットの取付作業や取り外し作業の作業工程を低減することのできる収納ラックおよびラック型電子機器を提供することを目的としている。
【課題を解決するための手段】
【０００５】
上記目的を達成するために、本発明の収納ラックおよびラック型電子機器は、ラック本体の前面からユニットを挿入した後に、複数の取付ネジを横方向にスライドさせることにより、スライド固定金具がＬ字状溝内に係合している本体ガイドピンで案内されながら複数の取付ネジと共にスライドして、複数のガイドピンのそれぞれが各ユニットの上面に設けられている横方向の係合溝内に進入するようになり、この状態において複数の取付ネジを回転させてナット部にそれぞれ螺着すると、スライド固定金具がＬ字状溝内に係合している本体ガイドピンで案内されながら後面側へスライドすることにより、スライド固定金具の横方向への移動が禁止されると共に各ユニットがラック本体に固着されることを最も主要な特徴としている。
【発明の効果】
【０００６】
ラック本体の前面からユニットを挿入した後に、複数の取付ネジを横方向にスライドさせることにより、スライド固定金具がＬ字状溝内に係合している本体ガイドピンで案内されながら複数の取付ネジと共にスライドして、複数のガイドピンのそれぞれが各ユニットの上面に設けられている横方向の係合溝内に進入するようになり、この状態において複数の取付ネジを回転させてナット部にそれぞれ螺着すると、スライド固定金具がＬ字状溝内に係合している本体ガイドピンで案内されながら後面側へスライドすることにより、スライド固定金具の横方向への移動が禁止されると共に各ユニットがラック本体に固着されるようにしたので、各ユニットを取り付ける取付ネジを共用することができ、装着されるユニットの台数にかかわらず取付作業や取り外し作業の作業工程数を変わらないようにすることができ、ユニット数が増加するほど作業工程を低減することができるようになる。
【０００７】
また、横方向の係合溝が形成されていると共に先端部に斜面が形成された固定板をユニットに設けることにより、ユニットの挿入に伴ってスライド固定金具が横方向にスライドしていくことから、事前にスライド固定金具をスライドさせることなくユニットを収納ラックに挿入することができるようになる。さらに、逆傾斜の第２の斜面を横方向の係合溝に到達するよう固定板に形成することにより、ユニットの引き出しに伴ってスライド固定金具が横方向にスライドしていくことから、事前に複数の取付ネジを横方向にスライドさせることなくユニットを収納ラックから引き出すことができるようになる。
さらにまた、本体ガイドピンがＬ字状溝の第２の溝位置にある場合にのみ、取付ネジを回転させた際にナット部に螺着されるようにしたことから、固着位置にある場合にのみ電子回路ユニットを取り付けることができるようになる。
【発明を実施するための最良の形態】
【０００８】
電子回路ユニットの取付作業や取り外し作業の作業工程を低減することのできる収納ラックおよびラック型電子機器を提供するという目的を、ラック本体の前面からユニットを挿入した後に、複数の取付ネジを横方向にスライドさせることにより、スライド固定金具がＬ字状溝内に係合している本体ガイドピンで案内されながら複数の取付ネジと共にスライドして、複数のガイドピンのそれぞれが各ユニットの上面に設けられている横方向の係合溝内に進入するようになり、この状態において複数の取付ネジを回転させてナット部にそれぞれ螺着すると、スライド固定金具がＬ字状溝内に係合している本体ガイドピンで案内されながら後面側へスライドすることにより、スライド固定金具の横方向への移動が禁止されると共に各ユニットがラック本体に固着されることで実現した。
【０００９】
本発明の実施例の収納ラックを備える第１の実施例のラック型電子機器の説明を図１ないし図２５を参照して説明する。ただし、図１は本発明にかかる第１の実施例のラック型電子機器１００の固着状態の構成を示す正面図であり、図２はその一部の構成を示す上面図である。図３は本発明にかかる第１の実施例のラック型電子機器１００の解除状態の構成を示す正面図であり、図４はその一部の構成を示す上面図である。図５は本発明にかかる第１の実施例のラック型電子機器１００に電子回路ユニット６を挿入する過程を示す上面図である。図６は取付ネジ１１が取付位置にある状態の本発明にかかる第１の実施例のラック型電子機器１００の一部の構成を示す斜視図であり、図７はその一部の構成を示す上面図であり、図８はその異なる一部の構成を示す上面図である。
【００１０】
図９は本発明にかかる第１の実施例のラック型電子機器１００に電子回路ユニット６を挿入する状態の一部の構成を示す斜視図である。図１０は本発明にかかる第１の実施例のラック型電子機器１００に電子回路ユニット６を挿入した状態の一部の構成を示す斜視図であり、図１１はその一部の構成を一部断面で示す上面図である。図１２は本発明にかかる第１の実施例のラック型電子機器１００における取付ネジ１１とスライド固定金具１０との結合関係を示す分解組立図で示す斜視図であり、図１３は本発明にかかる第１の実施例のラック型電子機器１００における取付ネジ１１とスライド固定金具１０との固着状態を示す斜視図である。図１４は本発明にかかる第１の実施例のラック型電子機器１００における本体固定金具１２と固着ナット２４との関係を分解組立図で示す斜視図である。図１５は本発明にかかる第１の実施例のラック型電子機器１００におけるスライド固定金具１０と取付ネジ１１との固着関係を示す斜視図であり、図１６はその一部を断面で示す斜視図であり、図１７は図１６の一部を拡大して示す斜視図である。
【００１１】
図１８は本発明にかかる第１の実施例のラック型電子機器１００における収納ラック１の構成を示す斜視図であり、図１９は本発明にかかる第１の実施例のラック型電子機器１００における収納ラック１の構成を示す正面図であり、図２０は本発明にかかる第１の実施例のラック型電子機器１００における収納ラック１の構成を示す上面図である。図２１は本発明にかかる第１の実施例のラック型電子機器１００におけるスライド固定金具１０の一部の構成を示す斜視図である。図２２は本発明にかかる第１の実施例のラック型電子機器１００における電子回路ユニット６の構成を示す斜視図である。図２３は本発明にかかる第１の実施例のラック型電子機器１００における取付ネジ１１の構成を示す正面図であり、図２４はその取付ネジの構成を示す斜視図であり、図２５はその取付ネジの構成を示す角度を変えて示す斜視図である。
【００１２】
本発明の第１の実施例のラック型電子機器１００は図１および図２に示すように、図１８ないし図２０に示す構成の本発明にかかる収納ラック１に複数台の電子回路ユニット６と電源ユニット７とを着脱自在に装着して構成されている。図１および図２に示す構成においては、２本の取付ネジ１１ａ，１１ｂがスライド孔３ｃ，３ｄの右端にあって締着されており、複数台の電子回路ユニット６と電源ユニット７とを収納ラック１から引き出せない固着状態とされている。また、図３および図４に示す構成においては、２本の取付ネジ１１ａ，１１ｂがスライド孔３ｃ，３ｄの左端にあって緩められており、複数台の電子回路ユニット６と電源ユニット７を収納ラック１からそれぞれ引き出すことができる解除状態とされている。
【００１３】
収納ラック１に装着することのできるユニット数は、例えば１０台とされその内の少なくとも１台のユニットは電源ユニット７とされる。電子回路ユニット６および電源ユニット７が共に装着されない空いている場所には、図１に示すように前面が盲板８とされた空のユニットが装着される。電子回路ユニット６は、入力／出力用の２つの同軸接栓６ａ，６ｂと動作状態を示すランプ等が配置されているパネル６ｃとを前面に備えている。電源ユニット７は、電源スイッチと動作状態を示す複数のランプを前面に備えている。これらの電子回路ユニット６および電源ユニット７を含む全てのユニットは、全てのユニットの共通の固着手段である２本の取付ネジ１１ａ、１１ｂで収納ラック１に着脱自在に固着されており、固着が解除された際に収納ラック１の前面から引き出すための取っ手６ｄ，・・・をそれぞれ備えている。
【００１４】
収納ラック１は、図１８ないし図２０に示すように前面が開放されたほぼ直方体状とされており、右側板２ａ，左側板２ｂ，上板３，底板４，背板５を備えている。これらの図に示すように上板３の前部は上側にほぼ直角に折曲された上板折曲部３ａが形成されており、この上板折曲部３ａに横方向に細長い孔とされた一対のスライド孔３ｃ，３ｄが形成されている。スライド孔３ｃ，３ｄには、それぞれ取付ネジ１１ａ，１１ｂが挿通されてスライド孔３ｃ，３ｄの延伸方向に沿ってスライド可能とされている。また、上板３の内側には前面から挿入される各ユニットを案内するための上レール３ｄが、装着されるユニットの幅の間隔で設けられている。収納ラック１に装着することのできるユニット数が、例えば１０台とされる場合は１１本の上レール３ｄが上板３に設けられ、上レール３ｄ間に各ユニットが挿入されて案内されるようになる。また、底板４の内側にも前面から挿入される各ユニットを案内するための下レール４ｂが、上レール３ｄの間隔と同じ間隔で対面するよう設けられている。すなわち、収納ラック１の前面から挿入した各ユニットは２本の上レール３ｄと対面する２本の下レール４ｂで形成される空間内に案内されて挿入されていくようになる。
【００１５】
収納ラック１の背板５には装着されるユニットの位置に対応してコネクタ１３が設けられている。収納ラック１に装着することのできるユニット数が、例えば１０台とされる場合は１０個のコネクタ１３が図９に図示するように設けられる。そして、電子回路ユニット６や電源ユニット７が収納ラック１に装着された際に、その背面に設けられたプラグがコネクタ１３にそれぞれ接続されて電気的接続が行われるようになる。収納ラック１の上板３には、横方向に延伸された細長い本体固定金具１２が、例えば４本のビスにより固着されている。この本体固定金具１２には２本の取付ネジ１１ａ，１１ｂの先端部に設けられたネジ部が螺着される締着ナットがスライド可能に収納されている。取付ネジ１１ａ，１１ｂのそれぞれは、上板折曲部３ａに形成されているスライド孔３ｃ，３ｄに挿入されると共に、上板３の上部に配置されたスライド固定金具１０に設けられた挿通孔に挿入されて、スライド固定金具１０から突出した先端部が本体固定金具１２に挿入されるようになる。
【００１６】
取付ネジ１１ａ，１１ｂのそれぞれは、スライド固定金具１０に対して回転可能であるが横方向および前後方向には、スライド固定金具１０と一体に移動するように固着されている。このため、２本の取付ネジ１１ａ，１１ｂをスライド孔３ｃ，３ｄに沿って横方向にスライドさせるとスライド固定金具１０も、取付ネジ１１ａ，１１ｂと共に横方向にスライドしていくようになる。スライド固定金具１０には、図２，図４に示すようにＬ字状溝１０ａ，１０ｂが形成されており、上板３から上方向に突出するよう形成されている２つの断面円形の本体ガイドピン１４ａ，１４ｂがこのＬ字状溝１０ａ，１０ｂ内にそれぞれ係合している。本体ガイドピン１４ａ，１４ｂは断面円形とされ、Ｌ字状溝１０ａ，１０ｂに係合できる長さとされている。図１および図２に示す状態は、２本の取付ネジ１１ａ，１１ｂをスライド孔３ｃ，３ｄに沿って右端までスライドさせることによりスライド固定金具１０も右側にスライドさせ、Ｌ字状溝１０ａ，１０ｂにおける横方向に延伸する溝の左端から前方向に伸びる溝内に本体ガイドピン１４ａ、１４ｂをそれぞれ位置させて、２本の取付ネジ１１ａ，１１ｂを回転させることにより本体固定金具１２に螺着した固着状態とされている。この場合、２本の取付ネジ１１ａ，１１ｂを回転させるに従いスライド固定金具１０が後方向（本体固定金具１２側）に移動するようになるため、本体ガイドピン１４ａ，１４ｂがＬ字状溝１０ａ，１０ｂの前方向に伸びる溝内に進入していくようになる。この状態においては、本体ガイドピン１４ａ，１４ｂとＬ字状溝１０ａ，１０ｂとの係合関係により、スライド固定金具１０が横方向へ移動できないようになり、後述するように収納ラック１に挿入されているユニットのすべてが収納ラック１から抜き出すことができないように固着されることになる。
【００１７】
また、電子回路ユニット６や電源ユニット７を固着されている収納ラック１から取り外す場合は、図１および図２に示す状態において、２本の取付ネジ１１ａ，１１ｂを逆回転させて緩める。そして、２本の取付ネジ１１ａ，１１ｂをスライド孔３ｃ，３ｄに沿って左端までスライドさせることによりスライド固定金具１０も左側にスライドさせ、Ｌ字状溝１０ａ，１０ｂにおける横方向に延伸する溝内に断面円形の本体ガイドピン１４ａ、１４ｂをスライドさせていく。この状態が、図３および図４に示す解除状態である。この解除状態においては、後述するように収納ラック１に挿入されている各ユニットを取っ手６ｄを把持して引っ張ることにより収納ラック１から抜き出すことができるようになる。
【００１８】
次に、収納ラック１に電子回路ユニット６や電源ユニット７を装着したり取り外したりする詳細な構成を説明する。
まず、スライド固定金具１０の一部の詳細構成と収納ラック１における上板３の一部の詳細構成を図２１を参照しながら説明する。スライド固定金具１０は金属板をコ字状に折曲して断面コ字状に形成されており、平面状の底部１０ｈの両側に対面する折曲部１０ｃ，１０ｄが形成されている。底部１０ｈには２つのＬ字状溝１０ａ，１０ｂが形成されているが、図２１には一方のＬ字状溝１０ｂのみが示されている。このＬ字状溝１０ｂの近傍の折曲部１０ｃ，１０ｄには対向する挿通孔１０ｆ，１０ｇが形成されている。この挿通孔１０ｆ，１０ｇには、上板折曲部３ａのスライド孔３ｃから挿通された取付ネジ１１ｂが挿通されるようになる。図示されていないＬ字状溝１０ａの近傍の折曲部１０ｃ，１０ｄにも対向する挿通孔が形成されている。この挿通孔には、上板折曲部３ａのスライド孔３ｃから挿通された取付ネジ１１ａが挿通されるようになる。また、底部１０ｈの下面からは下方へ突出する複数の断面円形のガイドピン１０ｅ，１０ｅ・・・が形成されている。所定長の断面円形とされたガイドピン１０ｅ，１０ｅ・・・は、収納ラック１に収納される各ユニット毎に対応して設けられており、収納ラック１に装着することのできるユニット数が、例えば１０台とされる場合は１０個のガイドピン１０ｅ，１０ｅ・・・が底部１０ｈにユニットの装着間隔で設けられる。
【００１９】
収納ラック１における上板３に形成されている上板折曲部３ａにはスライド孔３ｃ，３ｄが形成されており、図２１では一方のスライド孔３ｃのみが示されている。上板３の前部には上面に本体固定金具１２が４本のビス２５，２５・・・により固着されており、本体固定金具１２と上板折曲部３ａとの間に２つの本体ガイドピン１４ａ，１４ｂが上方へ突出するよう形成されている。この本体ガイドピン１４ａ，１４ｂが形成されている本体固定金具１２と上板折曲部３ａとの間にスライド固定金具１０が配置されて、本体ガイドピン１４ａ，１４ｂがそれぞれＬ字状溝１０ａ，１０ｂに係合されるようになっている。両者が係合された状態において上板折曲部３ａのスライド孔３ｃから挿通された取付ネジ１１ｂは、スライド固定金具１０の挿通孔１０ｆ，１０ｇに挿通され、取付ネジ１１ｂの先端部は本体固定金具１２に形成されているスライド溝内に挿通されるようになる。また、上板折曲部３ａのスライド孔３ｄから挿通された取付ネジ１１ａは、スライド固定金具１０の他方の挿通孔に挿通され、取付ネジ１１ａの先端部が本体固定金具１２の他方に形成されているスライド溝内に挿通されるようになる。
【００２０】
ここで、本体固定金具１２の詳細構成を図１２に示す。本体固定金具１２には上板折曲部３ａ側の側面にスライド溝１２ｂが形成されており、スライド溝１２ｂに連通して摺動溝１２ａが他方の側面に形成されている。摺動溝１２ａはスライド溝１２ｂより一回り大きく形成されており、摺動溝１２ａ内に六角ナットとされる締着ナット２３が横方向に摺動可能であるが回転不可能に収納される。摺動溝１２ａは、２本のビス２２で本体固定金具１２の側面に固着される塞板２１により塞がれるが、塞板２１には摺動溝１２ａより一回り小さくされた長孔２１ａが形成されている。ここで、上板折曲部３ａのスライド孔３ｃから取付ネジ１１ｂを挿通していくと、取付ネジ１１ｂはスライド固定金具１０の挿通孔１０ｆ，１０ｇに挿通され、取付ネジ１１ｂのネジ部から先は本体固定金具１２に形成されているスライド溝１２ｂを介して摺動溝１２ａ内に挿通されるようになる。そして、取付ネジ１１ｂのネジ部は摺動溝１２ａ内の締着ナット２３に螺着可能となる。さらに、取付ネジ１１ｂの小径とされた先端部にはネジが形成されておらず塞板２１の長孔２１ａから突出するようになる。これは、上板折曲部３ａのスライド孔３ｄから挿通された取付ネジ１１ａについても同様とされる。
【００２１】
次に、電子回路ユニット６の構成を図２２を参照しながら説明する。この図に示すように、電子回路ユニット６は幅が狭くされた直方体状の本体３０を有し、本体３０の奥行きが長く形成されている。この細長く形成されている本体３０内には信号処理を行う電子回路基板が収納されており、その前面には電子回路との信号を入出力するための２つの同軸接栓６ａ，６ｂが上下に設けられていると共に、中央部に動作状態を示すランプ等が配置されているパネル６ｃが設けられている。また、電子回路ユニット６の上面の前側には固着用に使用する固定板３１が、例えば４本のビスにより固着されている。この固定板３１のほぼ中央部には、横方向に延伸する係合溝３１ｂが形成されており、係合溝３１ｂの左側が開放されている。また、固定板３１の先端部には左側が斜めに切除された斜面を有するくさび状部３１ｃが形成されている。電源ユニット７は、図示されていないが電子回路ユニット６と同様に幅が狭くされた直方体状の本体を有し、上面の前側には固着用に使用する固定板が固着されている。この固定板の構成は、図２２に示す固定板３１と同様の構成とされている。さらに、盲板８を前面に備える空のユニットにおいても図示されていないが電子回路ユニット６と同様に幅が狭くされた直方体状の本体を有し、上面の前側には固着用に使用する固定板が固着されている。この固定板の構成は、図２２に示す固定板３１と同様の構成とされている。
【００２２】
次に、取付ネジ１１ａ，１１ｂである取付ネジ１１の詳細構成を図２３ないし図２５を参照して説明する。取付ネジ１１は、指で摘んで回転可能とされる大径とされた頭部１１０と、頭部１１０から延伸されている径の細くされた本体部１１１とを有している。頭部１１０の側周面には、把持しやすいようにローレット等の浅い凹凸が形成されている。本体部１１１の先端にはより径の細くされた段差部１１２が形成され、段差部１１２からはネジ部１１３が延伸するよう形成されている。このネジ部１１３の径は段差部１１２より細くされている。さらに、ネジ部１１３の先端からは最も径が細くされた先端部１１４が延伸するよう形成されている。この先端部１１４にはネジは形成されていない。また、段差部１１２の長さはスライド固定金具１０の板厚より若干長くされている。
【００２３】
このような構成の取付ネジ１１とスライド固定金具１０および本体固定金具との組み立て構造を図１２ないし図１７を参照して説明する。
図示しない上板折曲部３ａのスライド孔３ｃに挿入した取付ネジ１１ｂを、図１２に示すようにスライド固定金具１０の挿通孔１０ｇおよび挿通孔１０ｆに挿入する。挿通孔１０ｇの径は本体部１１１が通過できるが頭部１１０は通過できない径とされている。挿通孔１０ｆの径は取付ネジ１１ｂの段差部１１２の径より大きく本体部１１１の径より小さくされている。すなわち、取付ネジ１１ｂを挿通孔１０ｆに挿通していくと本体部１１１と段差部１１２との段部が折曲部１０ｃの内面側に当接し、挿通孔１０ｆ内に段差部１１２が位置するようになる。次いで、図１２に示すように六角ナットとされている固着ナット２４を取付ネジ１１ｂの先端部１１４から挿入してネジ部１１３に螺着する。これにより、図１５に示すようにスライド固定金具１０に取付ネジ１１ｂが取り付けられるようになる。この場合、段差部１１２の径はネジ部１１３の径より大きくされているため、ネジ部１１３に締着された固着ナット２４は段差部１１２とネジ部１１３との段部に当接して締着されるようになる。さらに、段差部１１２の長さは折曲部１０ｃの板厚より長くされているため、固着ナット２４がネジ部１１３に締着されても取付ネジ１１ｂは挿通孔１０ｆ，１０ｇ内を回転可能とされる。ただし、取付ネジ１１ｂはスライド固定金具１０に対しては横方向および前後方向に移動できないようになる。すなわち、取付ネジ１１ｂはスライド固定金具１０と一体に横方向および前後方向に移動するが、回転可能に取り付けられる。
【００２４】
図１５の一部を破断して示す構成を図１６に示し、その一部の構成を拡大して図１７に示す。これらの図に示すように、段差部１１２の長さが折曲部１０ｃの板厚より長くされているため、折曲部１０ｃは本体部１１１と段差部１１２との段部と固着ナット２４との間に若干の間隙を持って位置するようになる。これにより、取付ネジ１１ｂはスライド固定金具１０に対して回転可能に取り付けられるようになる。
図１２に戻り取付ネジ１１ｂのネジ部１１３と先端部１１４は本体固定金具１２に形成されているスライド溝１２ｂおよび摺動溝１２ａ内に挿通され、先端部１１４は本体固定金具１２を超えて突出するようになる。図１２における本体固定金具１２を含む周辺の一部の構成を拡大して図１４に示す。この図に示すように、本体固定金具１２に形成されている摺動溝１２ａ内には締着ナット２３が摺動可能であるが回転不可能に収納されており、締着ナット２３が摺動溝１２ａから抜け出ないように塞板２１が２本のビス２２により本体固定金具１２の側面に固着されている。この塞板２１には長孔２１ａが形成されており、結局の所、外形が六角形の締着ナット２３はスライド溝１２ｂの壁と塞板２１とで挟まれた空間を横方向に摺動可能となる。ただし、締着ナット２３の外形は六角形と限らず多角形であればよい。スライド溝１２ｂと長孔２１ａとは摺動溝１２ａに連通しており、スライド溝１２ｂを通過した取付ネジ１１ｂのネジ部１１３は摺動溝１２ａ内の締着ナット２３に螺合することができるようになる。この際に、径が細くされた先端部１１４は締着ナット２３のめねじ部を通過すると共に長孔２１ａを通過して塞板２１から突出するようになる。
【００２５】
取付ネジ１１ａも同様であり固着ナット２４がネジ部１１３に締着された際に、スライド固定金具１０と一体に移動するが、回転可能に取り付けられる。そして、図１３に示すようにネジ部１１３は摺動溝１２ａ内に収納されている締着ナット２３に螺合可能となり、先端部１１４は塞板２１の長孔２１ａを超えて突出するようになる。
【００２６】
次に、第１の実施例のラック型電子機器において収納ラック１に電子回路ユニット６や電源ユニット７を装着する手順の説明を、電子回路ユニット６を装着するものとして説明する。なお、電源ユニット７を装着する際には、以下の説明における電子回路ユニット６を電源ユニット７に置き換えればよい。
収納ラック１に電子回路ユニット６を装着する際には、２本の取付ネジ１１ａ，１１ｂを緩めて本体固定金具１２に収納されている締着ナット２３とネジ部１１３との螺合を解除する。この場合、締着ナット２３内には取付ネジ１１ａ，１１ｂの小径の先端部１１４が位置して、締着ナット２３と取付ネジ１１ａ，１１ｂとの緩い結合は維持されるようになる。次いで、図５に示すように収納ラック１の前面から装着する電子回路ユニット６を挿入していく。この場合、スライド固定金具１０は図５に示すように固着状態と同じ位置である右側へスライドした位置に位置しているものとする。
【００２７】
図５に示す位置からさらに電子回路ユニット６を収納ラック１の内部に押し込んでいくと、電子回路ユニット６の上面に固着されている固定板３１にスライド固定金具１０の下面から突出するよう設けられた断面円形のガイドピン１０ｅが当接するようになる。ガイドピン１０ｅの長さは、その側周面が固定板３１に当接するが、その下面は電子回路ユニット６の上面に当接しない長さとされている。この構成の一部を拡大して斜視図で図９に示す。この図に示すように、ガイドピン１０ｅの側周面が固定板３１の前部に形成されている斜面とされたくさび状部３１ｃに当接するようになる。さらに、電子回路ユニット６を押し込んでいくと図９に矢印で図示する奥へ移動していき、ガイドピン１０ｅがくさび状部３１ｃの斜面を滑りながら左方向へ移動していくようになる。すなわち、くさび状部３１ｃとガイドピン１０ｅとの作用によりスライド固定金具１０の全体が左方向へスライドしていくようになる。この場合、スライド固定金具１０のスライドに伴い、取付ネジ１１ａ，１１ｂもスライド孔３ｃ，３ｄ内を左方向にスライドしていく。この取付ネジ１１ａ，１１ｂがスライドする際には、そのネジ部１１３が本体固定金具１２のスライド溝１２ｂ内をスライドしていくと共に、先端部１１４が挿入されている締着ナット２３が摺動溝１２ａ内を左方向に摺動していくようになる。
【００２８】
このようにして電子回路ユニット６を収納ラック１内に押し込んだ際の状態が図１０に示されている。この図に示すように装着したい電子回路ユニット６を収納ラック１内に押し込むことにより、スライド固定金具１０が左側へ自動的にスライドしていく。これにより、図１０に示すようにスライド固定金具１０に設けられている断面円形のガイドピン１０ｅが固定板３１に形成されている係合溝３１ｂの開放されている左側に位置することになる。図１０に示す取付ネジ１１ａを含む周辺の一部を拡大して一部破断した上面図を図１１に示す。この図に示すように、取付ネジ１１ａのネジ部１１３は本体固定金具１２に摺動自在に収納されている締着ナット２３から離脱して締着ナット２３には先端部１１４が挿入された状態とされている。なお、先端部１１４の長さは取付ネジ１１ａが完全に緩められて頭部１１と本体部１１１とが前方向に移動しても、塞板２１の長孔２１ａから抜け出ない長さとされる。そして、Ｌ字状溝１０ａの横方向へ延伸する溝内に本体ガイドピン１４ｂが位置するようになることから、スライド固定金具１０は本体ガイドピン１４ｂとＬ字状溝１０ａとの作用により前後方向に移動できないようになる。このため、取付ネジ１１ａを回転させてもネジ部１１３が締着ナット２３に到達しないようになり、取付ネジ１１ａは空回りするようになる。これにより、図１０および図１１に示すようなユニットの解除状態（図３および図４に示す解除状態）の位置で取付ネジ１１ａ，１１ｂを本体固定金具１２に螺着することができないようになる。すなわち、ユニットを取り付けられる固着状態の位置以外では取付ネジ１１ａ，１１ｂを螺着することができず、不安定な状態でユニットが取り付けられることを防止することができる。
【００２９】
図１０および図１１に示す状態において、取付ネジ１１ａ，１１ｂを把持してスライド孔３ｃ，３ｄに沿って右方向にスライドさせると、取付ネジ１１ａ，１１ｂに一体にスライド固定金具１０も右方向にスライドしていくようになる。スライド固定金具１０が右方向にスライドしていくとＬ字状溝１０ａ，１０ｂの横方向に延伸する溝内を本体ガイドピン１４ａ，１４ｂが摺動していくと共に、スライド固定金具１０に形成されているガイドピン１０ｅが電子回路ユニット６に設けられた固定板３１の係合溝３１ｂ内に進入していくようになる。そして、取付ネジ１１ａ，１１ｂがスライド孔３ｃ，３ｄの右端までスライドした際に、ガイドピン１０ｅが固定板３１の係合溝３１ｂの右端まで進入すると共に、本体ガイドピン１４ａ，１４ｂがＬ字状溝１０ａ、１０ｂにおける横方向の溝の左端まで摺動するようになる。
【００３０】
この状態ではＬ字状溝１０ａ，１０ｂの前方向に延伸する縦溝内に本体ガイドピン１４ａ，１４ｂが進入可能となっていることから、２本の取付ネジ１１ａ，１１ｂを締着する方向に回転させていくと、本体ガイドピン１４ａ，１４ｂはＬ字状溝１０ａ，１０ｂにおける前方向に延伸する縦溝内を摺動していくようになる。したがって、スライド固定金具１０が後ろ方向にスライドし取付ネジ１１ａ，１１ｂのネジ部１１３が本体固定金具１２の摺動溝１２ａ内に収納されている締着ナット２３にそれぞれ螺合するようになる。取付ネジ１１ａ，１１ｂを締着ナット２３に螺合していくにつれて、取付ネジ１１ａ，１１ｂの頭部１１０と本体部１１１とは奥方向（後ろ方向）に移動していくことから、これに伴いスライド固定金具１０もさらに奥方向（後ろ方向）にスライドしていくようになる。この場合、取付ネジ１１ａ，１１ｂの頭部１１０の前面が上部折曲部３ａの前面に当接して、取付ネジ１１ａ，１１ｂがそれぞれ締着ナット２３に締着される。この固着状態を図６ないし図８に示す。これらの図に示すように、取付ネジ１１ａ，１１ｂの頭部１１０と本体部１１１との境界面は上板折曲部３ａの前面に当接してそれ以上奥に取付ネジ１１ａ，１１ｂは進入できないようになる。この場合、取付ネジ１１ａ，１１ｂのネジ部１１３は本体固定金具１２の摺動溝１２ａ内を摺動する締着ナット２３に螺合しており、先端部１１４は塞板２１の長孔２１ａから突出するようになる。また、図６および図７に示すようにガイドピン１０ｅは固定板３１の係合溝３１ｂの奥に形成されている凹部に係合するようになる。これにより、電子回路ユニット６は確実にガイドピン１０ｅで保持されて、ガタつくことなく収納ラック１に固着される。
【００３１】
以上が、第１の実施例のラック型電子機器１００において収納ラック１に電子回路ユニット６や電源ユニット７等のユニットを装着する手順である。まとめると次のようになる。
１．２本の取付ネジ１１ａ，１１ｂを緩めた状態にして収納ラック１の空いている取付場所にユニットを挿入していく。
２．ユニットの挿入時に、固定板３１のくさび状部３１ｃの斜面がガイドピン１０ｅに当接してスライド固定金具１０と２本の取付ネジ１１ａ，１１ｂとが左方向にスライドしていく。
３．２本の取付ネジ１１ａ，１１ｂを把持してスライド孔３ｃ，３ｄに沿って右方向にスライドさせることにより、スライド固定金具１０をスライドさせてガイドピン１０ｅを固定板３１の係合溝３１ｂ内に進入させて係合させる。
４．スライド固定金具１０が後面側へ移動可能となるので、２本の取付ネジ１１ａ，１１ｂを締着方向に回転させることにより、取付ネジ１１ａ，１１ｂが本体固定金具１２に収納されている締着ナット２３にそれぞれ螺着されるようになり、ユニットが収納ラック１に固着される。
【００３２】
次に、第１の実施例のラック型電子機器１００において収納ラック１から電子回路ユニット６や電源ユニット７等のユニットを取り外す手順を説明する。
ユニットを収納ラック１から取り外す際には、まず、２本の取付ネジ１１ａ，１１ｂを緩めて、取付ネジ１１ａ，１１ｂのネジ部１１３と締着ナット２３との螺合を解除する。すると、取付ネジ１１ａ，１１ｂが前面側へ抜き出されてくることから、これに伴いスライド固定金具１０も前面側へスライドしてくるようになる。これにより、本体ガイドピン１４ａ、１４ｂがＬ字状溝１０ａ，１０ｂにおける前方向に伸びる縦溝と横方向に延伸する溝とが合わさる位置に位置するようになる。
【００３３】
そこで、２本の取付ネジ１１ａ，１１ｂを把持してスライド孔３ｃ，３ｄに沿って左方向にスライドさせると、これに伴ってスライド固定金具１０も左側にスライドしていく。これにより、本体ガイドピン１４ａ、１４ｂがＬ字状溝１０ａ，１０ｂにおける横方向に延伸する溝内を摺動していくと共に、ガイドピン１０ｅが固定板３１の係合溝３１ｂから抜け出ていくようになる。この解除状態は、図１０および図１１に示す状態である。この解除状態では、ガイドピン１０ｅが固定板３１の係合溝３１ｂから離脱していることから、いずれのユニットも抜き出せる状態となっており、抜き出したいユニットの取っ手を把持して手前に引っ張ることによりそのユニットを抜き出せるようになる。
以上が収納ラック１から電子回路ユニット６や電源ユニット７等のユニットを取り外す手順である。
【００３４】
第１の実施例のラック型電子機器は以上のように構成されていることから、次のように作用する。
１．図３，図４および図１０，図１１に示す解除状態のように取付ネジ１１ａ，１１ｂがスライド孔３ｃ、３ｄの左端にある場合は、スライド固定金具１０のＬ字状溝１０ａ，１０ｂの横方向に延伸する溝内に本体ガイドピン１４ａ，１４ｂが位置しており、スライド固定金具１０は前後方向にスライドすることができない。よって、図１１に示すように取付ネジ１１ａ，１１ｂのネジ部１１３が締着ナット２３まで到達する事ができず、取付ネジ１１ａ，１１ｂは空回りするようになって取付ネジ１１ａ，１１ｂを締め付けることができないようになる。これにより、この解除状態では取付ネジ１１ａ，１１ｂが空回りすることから、解除状態において誤ってユニットを固着することができたと認識されることを防止することができるようになる。
【００３５】
２．ユニットを収納ラック１に取り付ける場合、スライド固定金具１０のＬ字状溝１０ａの前方向に延伸している縦溝内に本体ガイドピン１４ａ，１４ｂが位置しているため、取付ネジ１１ａ，１１ｂを締め付けるとスライド固定金具１０は後方へ押し込まれる様になって確実に固定されるようになり、そのガタツキを防止することができるようになる。
３．図９に示すように取付ネジ１１ａ，１１ｂが解除状態の位置以外の位置にある場合でも、ユニット挿入時にはユニットに設けられている固定板３１のくさび状部３１ｃの斜面にスライド固定金具１０のガイドピン１０ｅが当接して滑っていきながら左側にスライドしていくようになり、結果的に取付ネジ１１ａ，１１ｂは解除状態の位置まで自動的に移動するようになる。これにより、ユニットの挿入時の取付作業の煩わしさが軽減される。
【００３６】
次に、本発明の実施例の収納ラックを備える第２の実施例のラック型電子機器の説明を図２６ないし図２９を参照して説明する。ただし、図２７は本発明の第２の実施例におけるラック型電子機器に電子回路ユニット６’を挿入する状態の構成の一部を示す斜視図であり、図２８は本発明の第２の実施例におけるラック型電子機器に電子回路ユニット６’を挿入した状態の構成の一部を示す斜視図であり、図２９は本発明の第２の実施例におけるラック型電子機器の取付ネジ１１が取付位置にある固着状態の構成の一部を示す斜視図である。
【００３７】
第２の実施例のラック型電子機器においては、電子回路ユニットや電源ユニット等のユニットの構成が異なるが、収納ラック１の構成は第１の実施例のラック型電子機器と同様とされる。そこで、ユニットの構成を電子回路ユニット６’を代表として図２６を参照して説明する。電子回路ユニット６’における幅が狭くされた直方体状の本体３０の構成は、電子回路ユニット６における本体３０と同様の構成とされている。この本体３０内には信号処理を行う電子回路基板が収納されており、その前面には電子回路との信号を入出力するための２つの同軸接栓６ａ，６ｂが上下に設けられていると共に、中央部に動作状態を示すランプ等が配置されているパネル６ｃが設けられている。また、電子回路ユニット６’の上面の前側には固着用に使用する固定板４１が、例えば４本のビスにより固着されている。この固定板４１のほぼ中央部には係合溝４１ｂが形成されており、係合溝４１ｂの左側は開放されている。また、固定板４１の先端部には左側が斜めに切除された斜面を有する第１くさび状部４１ｃが形成され、第１くさび状部４１ｃと係合溝４１ｂとの間に、第１くさび状部４１ｃとは逆傾斜の斜面とされた第２くさび状部４１ｄが形成されている。
【００３８】
第２の実施例のラック型電子機器における電源ユニットの上面にも、図示されていないが図２６に示す固定板４１と同様の構成の固定板が固着されている。さらに、第２の実施例のラック型電子機器における盲板８を前面に備える空のユニットにおいても、図示されていないが図２６に示す固定板４１と同様の構成の固定板が固着されている。
【００３９】
次に、第２の実施例のラック型電子機器において収納ラック１に電子回路ユニット６’や電源ユニットを装着する手順の説明を電子回路ユニット６’を装着するものとして説明する。なお、電源ユニットを装着する際には、以下の説明における電子回路ユニット６’を電源ユニットに置き換えればよい。
収納ラック１に電子回路ユニット６’を装着する際には、２本の取付ネジ１１ａ，１１ｂを緩めて本体固定金具１２に収納されている締着ナット２３とネジ部１１３との螺合を解除するようにする。この場合、締着ナット２３内には取付ネジ１１ａ，１１ｂの小径の先端部１１４が位置するようになる。次いで、収納ラック１の前面から装着する電子回路ユニット６’を挿入していく。この場合、スライド固定金具１０は図２７に示すように固着状態の位置である右側へスライドした位置にあるものとする。
【００４０】
図２７の矢印で示す方向に電子回路ユニット６’を押し込んでいくと、電子回路ユニット６’の上面に固着されている固定板４１にスライド固定金具１０の下面から突出するよう設けられた断面円形のガイドピン１０ｅが当接するようになる。ガイドピン１０ｅの長さは、その側周面が固定板４１に当接するが、その下面は電子回路ユニット６’の上面に当接しない長さとされている。図２７に示すように、ガイドピン１０ｅの側周面が固定板４１の前部に形成されている斜面とされた第１くさび状部４１ｃに当接するようになる。さらに、電子回路ユニット６’を押し込んでいくとガイドピン１０ｅが第１くさび状部４１ｃの斜面を滑りながら左方向へ移動していくようになる。すなわち、第１くさび状部４１ｃとガイドピン１０ｅとの作用によりスライド固定金具１０の全体が左方向へスライドしていくようになる。この場合、スライド固定金具１０のスライドに伴い、取付ネジ１１ａ，１１ｂも一体にスライド孔３ｃ，３ｄ内を左方向にスライドしていく。取付ネジ１１ａ，１１ｂがスライドする際には、そのネジ部１１３が本体固定金具１２のスライド溝１２ｂ内をスライドしていくと共に、先端部１１４が挿入されている締着ナット２３が摺動溝１２ａ内を摺動していくようになる。
【００４１】
このようにして電子回路ユニット６’を収納ラック１内に押し込んだ状態が図２８に示されている。この図に示すように装着したい電子回路ユニット６’を収納ラック１内に押し込むことにより、スライド固定金具１０が左側へ自動的にスライドしていく。これにより、図２８に示すようにスライド固定金具１０に設けられている断面円形のガイドピン１０ｅが固定板３１に形成されている係合溝４１ｂの開放している左側に位置することになる。また、図示されていないが、Ｌ字状溝１０ａの横方向へ延伸する溝内に本体ガイドピン１４ｂが位置するようになることから、スライド固定金具１０は本体ガイドピン１４ｂとＬ字状溝１０ａとの作用により前後方向に移動できないようになる。このため、取付ネジ１１ａを回転させてもネジ部１１３が締着ナット２３に到達しないようになり、取付ネジ１１ａは空回りするようになる。これにより、図２８に示すようなユニットの解除状態の位置で取付ネジ１１ａ，１１ｂを本体固定金具１２に螺着することができないようになる。すなわち、ユニットを固着することのできる位置以外では取付ネジ１１ａ，１１ｂを螺着することができないようになる。
【００４２】
図２８に示す状態において、取付ネジ１１ａ，１１ｂを把持してスライド孔３ｃ，３ｄに沿って右方向にスライドさせると、取付ネジ１１ａ，１１ｂに一体にスライド固定金具１０も右方向にスライドしていくようになる。スライド固定金具１０が右方向にスライドしていくとＬ字状溝１０ａ，１０ｂの横方向に延伸する溝内を本体ガイドピン１４ａ，１４ｂが摺動していくと共に、スライド固定金具１０に形成されているガイドピン１０ｅが電子回路ユニット６’に設けられた固定板４１の係合溝４１ｂ内に進入していくようになる。そして、取付ネジ１１ａ，１１ｂがスライド孔３ｃ，３ｄの右端までスライドした際に、ガイドピン１０ｅが固定板４１の係合溝４１ｂの右端まで進入すると共に、本体ガイドピン１４ａ，１４ｂがＬ字状溝１０ａ、１０ｂにおける横方向の溝の左端まで摺動するようになる。
【００４３】
この状態ではＬ字状溝１０ａ，１０ｂにおける前方向に延伸する縦溝内に本体ガイドピン１４ａ，１４ｂが進入可能となっていることから、２本の取付ネジ１１ａ，１１ｂを締着する方向に回転させていくと、スライド固定金具１０が後ろ方向にスライドして取付ネジ１１ａ，１１ｂのネジ部１１３が本体固定金具１２の摺動溝１２ａ内に収納されている締着ナット２３にそれぞれ螺合するようになる。取付ネジ１１ａ，１１ｂを締着ナット２３に螺合していくにつれて、取付ネジ１１ａ，１１ｂの頭部１１０と本体部１１１とは奥方向（後ろ方向）に移動していくことから、これに伴いスライド固定金具１０もさらに奥方向（後ろ方向）にスライドしていくようになる。これにより本体ガイドピン１４ａ，１４ｂはＬ字状溝１０ａ，１０ｂにおける前方向に延伸する縦溝内を摺動していくようになる。取付ネジ１１ａ，１１ｂがそれぞれ締着ナット２３に締着された固着状態を図２９に示す。この場合、取付ネジ１１ａ，１１ｂの頭部１１０と本体部１１１との境界面は上板折曲部３ａの前面に当接してそれ以上奥に取付ネジ１１ａ，１１ｂは進入できないようになる。さらに、取付ネジ１１ａ，１１ｂのネジ部１１３は本体固定金具１２の摺動溝１２ａ内を摺動する締着ナット２３に螺合しており、先端部１１４は塞板２１の長孔２１ａから突出するようになる。これにより、電子回路ユニット６’がガタつくことなく確実に収納ラック１に固着される。
【００４４】
以上が、第２の実施例のラック型電子機器において収納ラック１に電子回路ユニット６’や電源ユニット等のユニットを装着する手順である。次に、第２の実施例のラック型電子機器において収納ラック１から電子回路ユニット６’や電源ユニット等のユニットを取り外す手順を説明するが、第２の実施例のラック型電子機器は取り外す手順に特徴を有している。
ユニットを収納ラック１から取り外す際には、まず、２本の取付ネジ１１ａ，１１ｂを緩めて、取付ネジ１１ａ，１１ｂと締着ナット２３との螺合を解除する。すると、取付ネジ１１ａ，１１ｂが前面側へ抜き出されてくることから、これに伴いスライド固定金具１０も前面側へスライドしてくるようになる。これにより、本体ガイドピン１４ａ、１４ｂがＬ字状溝１０ａ，１０ｂにおける前方向に延伸する縦溝と横方向に延伸する溝とが合わさる位置に位置するようになる。
【００４５】
ここで、２本の取付ネジ１１ａ，１１ｂをスライドさせることなく取り外したいユニットの取っ手を把持して手前に引っ張るようにする。すると、図２９に示すように係合溝４１ｂに位置していたガイドピン１０ｅが固定板４１における第２くさび状部４１ｄの斜面に当接して斜面上を滑っていくことにより、電子回路ユニット６’が引き出されるのに伴ってスライド固定金具１０が左側にスライドしていく。これにより、本体ガイドピン１４ａ、１４ｂがＬ字状溝１０ａ，１０ｂにおける横方向に延伸する溝内を摺動していき解除状態となる。このように、第２の実施例のラック型電子機器においては、固定板４１の第２くさび状部４１ｄとガイドピン１０ｅとの作用により抜き出したいユニットの取っ手を把持して手前に引くことにより、自動的に解除状態となってそのユニットを抜き出せるようになる。
以上が第２の実施例のラック型電子機器において収納ラック１から電子回路ユニット６’や電源ユニット等のユニットを取り外す手順である。
【００４６】
第２の実施例のラック型電子機器は以上のように構成されていることから、次のように作用する。
１．取付ネジ１１ａ，１１ｂが解除位置にある場合は、スライド固定金具１０のＬ字状溝１０ａ，１０ｂの横方向に延伸する溝内に本体ガイドピン１４ａ，１４ｂが位置しており、スライド固定金具１０は前後に動くことができない。よって、取付ネジ１１ａ，１１ｂのネジ部１１３が締着ナット２３まで到達する事ができず、取付ネジ１１ａ，１１ｂは空回りするようになり取付ネジ１１ａ，１１ｂを締め付けることができないようになる。これにより、この解除状態の位置では取付ネジ１１ａ，１１ｂが空回りすることから、解除状態の位置において誤ってユニットを固着することができたと認識されることを防止することができるようになる。
【００４７】
２．ユニットを収納ラック１に取り付ける場合、スライド固定金具１０のＬ字状溝１０ａの前方向に延伸している縦溝内に本体ガイドピン１４ａ，１４ｂが位置しているため、取付ネジ１１ａ，１１ｂを締め付けるとスライド固定金具１０は後方へ押し込まれる様になって確実に固定されるようになり、そのガタツキを防止することができるようになる。
３．取付ネジ１１ａ，１１ｂが解除状態の位置以外の位置にある場合でも、ユニット挿入時にはユニットに設けられている固定板４１の第１くさび状部４１ｃの斜面にスライド固定金具１０のガイドピン１０ｅが当接して滑りながら左側にスライドしていくようになり、結果的に取付ネジ１１ａ，１１ｂは解除位置まで自動的に移動するようになる。これにより、ユニットの挿入時の取付作業の煩わしさが軽減される。
４．取付ネジ１１ａ，１１ｂが固着状態の位置にある場合でも、ユニットに設けられている取っ手を把持して手前に引っ張ることにより、固定板４１の第２くさび状部４１ｄの斜面にスライド固定金具１０のガイドピン１０ｅが当接して滑りながら左側にスライドしていくようになり、取付ネジ１１ａ，１１ｂを解除状態の位置まで移動させることなく、ユニットを取り外すことができるようになる。これにより、ユニットの取り外し作業の煩わしさを軽減することができる。
【産業上の利用可能性】
【００４８】
以上の説明では、ＣＡＴＶ局や共同受信装置用に使用されるラック型電子機器としたが、本発明はこれに限るものではなく複数台のユニットを収納して構成されるラック型電子機器に適用することができる。
なお、２本の取付ネジを右端までスライドして締着した状態を固着状態とし、２本の取付ネジを緩めて左端までスライドした状態を解除状態としたが、これに限るものではなくユニット、スライド固定金具および本体固定金具の構成を左右反転させて２本の取付ネジを左端までスライドして締着した状態を固着状態とし、２本の取付ネジを緩めて右端までスライドした状態を解除状態としてもよい。
さらに、取付ネジの数を２本としたが、これに限るものではなく１本としても３本以上とすることもできる。さらにまた、スライド固定金具の断面はコ字状に限るものではなく断面を矩形とすることもできる。
【図面の簡単な説明】
【００４９】
【図１】本発明にかかる第１の実施例のラック型電子機器の固着状態の構成を示す正面図である。
【図２】本発明にかかる第１の実施例のラック型電子機器の固着状態の一部の構成を示す上面図である。
【図３】本発明にかかる第１の実施例のラック型電子機器の解除状態の構成を示す正面図である。
【図４】本発明にかかる第１の実施例のラック型電子機器の固着状態の一部の構成を示す上面図である。
【図５】本発明にかかる第１の実施例のラック型電子機器に電子回路ユニットを挿入する過程を示す上面図である。
【図６】本発明にかかる第１の実施例のラック型電子機器の固着状態の一部の構成を示す斜視図である。
【図７】本発明にかかる第１の実施例のラック型電子機器の固着状態の一部の構成を示す上面図である。
【図８】本発明にかかる第１の実施例のラック型電子機器の固着状態の異なる一部の構成を示す上面図である。
【図９】本発明にかかる第１の実施例のラック型電子機器に電子回路ユニットを挿入する状態の一部の構成を示す斜視図である。
【図１０】本発明にかかる第１の実施例のラック型電子機器に電子回路ユニットを挿入した状態の一部の構成を示す斜視図である。
【図１１】本発明にかかる第１の実施例のラック型電子機器に電子回路ユニットを挿入した状態の構成を一部断面で示す上面図である。
【図１２】本発明にかかる第１の実施例のラック型電子機器における取付ネジとスライド固定金具との結合関係を示す分解組立図で示す斜視図である。
【図１３】本発明にかかる第１の実施例のラック型電子機器における取付ネジとスライド固定金具との固着状態を示す斜視図である。
【図１４】本発明にかかる第１の実施例のラック型電子機器における本体固定金具と固着ナットとの関係を分解組立図で示す斜視図である。
【図１５】本発明にかかる第１の実施例のラック型電子機器におけるスライド固定金具と取付ネジとの固着関係を示す斜視図である。
【図１６】本発明にかかる第１の実施例のラック型電子機器におけるスライド固定金具と取付ネジとの固着関係の一部を断面で示す斜視図である。
【図１７】本発明にかかる第１の実施例のラック型電子機器におけるスライド固定金具と取付ネジとの固着関係の一部を拡大して示す斜視図である。
【図１８】本発明にかかる第１の実施例のラック型電子機器における収納ラックの構成を示す斜視図である。
【図１９】本発明にかかる第１の実施例のラック型電子機器における収納ラックの構成を示す正面図である。
【図２０】本発明にかかる第１の実施例のラック型電子機器における収納ラックの構成を示す上面図である。
【図２１】本発明にかかる第１の実施例のラック型電子機器におけるスライド固定金具の一部の構成を示す斜視図である。
【図２２】本発明にかかる第１の実施例のラック型電子機器における電子回路ユニットの構成を示す斜視図である。
【図２３】本発明にかかる第１の実施例のラック型電子機器における取付ネジの構成を示す正面図である。
【図２４】本発明にかかる第１の実施例のラック型電子機器における取付ネジの構成を示す斜視図である。
【図２５】本発明にかかる第１の実施例のラック型電子機器における取付ネジの構成を示す角度を変えて示す斜視図である。
【図２６】本発明にかかる第２の実施例のラック型電子機器における電子回路ユニットの構成を示す斜視図である。
【図２７】本発明の第２の実施例におけるラック型電子機器に電子回路ユニットを挿入する状態の構成の一部を示す斜視図である。
【図２８】本発明の第２の実施例におけるラック型電子機器に電子回路ユニットを挿入した状態の構成の一部を示す斜視図である。
【図２９】本発明の第２の実施例におけるラック型電子機器の固着状態の構成の一部を示す斜視図である。
【符号の説明】
【００５０】
１  収納ラック、２ａ  右側板、２ｂ  左側板、３  上板、３ａ  上板折曲部、３ｃ  スライド孔、３ｄ  スライド孔、３ｄ  上レール、４  底板、４ｂ  下レール、５  背板、６  電子回路ユニット、６ａ，６ｂ  同軸接栓、６ｃ  パネル、６ｄ  取っ手、７  電源ユニット、８  盲板、１０  スライド固定金具、１０ａ  Ｌ字状溝、１０ｂ  Ｌ字状溝、１０ｃ  折曲部、１０ｄ  折曲部、１０ｅ  ガイドピン、１０ｆ  挿通孔、１０ｇ  挿通孔、１０ｈ  底部、１１  取付ネジ、１１  頭部、１１ａ  取付ネジ、１１ｂ  取付ネジ、１２  本体固定金具、１２ａ  摺動溝、１２ｂ  スライド溝、１３  コネクタ、１４ａ  本体ガイドピン、１４ｂ  本体ガイドピン、２１  塞板、２１ａ  長孔、２２  ビス、２３  締着ナット、２４  固着ナット、２５  ビス、３０  本体、３１  固定板、３１ｂ  係合溝、３１ｃ  くさび状部、４１  固定板、４１ｂ  係合溝、４１ｃ  第１くさび状部、４１ｄ  第２くさび状部、１００  ラック型電子機器、１１０  頭部、１１１  本体部、１１２  段差部、１１３  ネジ部、１１４  先端部
【図１】
2006186256.tif 000003
【図２】
2006186256.tif 000004
【図３】
2006186256.tif 000005
【図４】
2006186256.tif 000006
【図５】
2006186256.tif 000007
【図６】
2006186256.tif 000008
【図７】
2006186256.tif 000009
【図８】
2006186256.tif 000010
【図９】
2006186256.tif 000011
【図１０】
2006186256.tif 000012
【図１１】
2006186256.tif 000013
【図１２】
2006186256.tif 000014
【図１３】
2006186256.tif 000015
【図１４】
2006186256.tif 000016
【図１５】
2006186256.tif 000017
【図１６】
2006186256.tif 000018
【図１７】
2006186256.tif 000019
【図１８】
2006186256.tif 000020
【図１９】
2006186256.tif 000021
【図２０】
2006186256.tif 000022
【図２１】
2006186256.tif 000023
【図２２】
2006186256.tif 000024
【図２３】
2006186256.tif 000025
【図２４】
2006186256.tif 000026
【図２５】
2006186256.tif 000027
【図２６】
2006186256.tif 000028
【図２７】
2006186256.tif 000029
【図２８】
2006186256.tif 000030
【図２９】
2006186256.tif 000031